(57)【要約】【課題】  故障範囲を従来より限定して検出できる歪補償式非線形電力増幅装置を得る。【解決手段】  復調部１からの信号を歪補償テーブル２に入力して歪補償量を乗算し、その出力を変調部３に入力し、変調部３の出力を非線形電力増幅器４で増幅し、その増幅出力の一部を負帰還して復調部１からの信号と比較し、その比較結果により歪検出部７で非線形電力増幅器４の非線形歪の補償を行う。このような歪補償式非線形電力増幅装置に、復調部１からの信号と歪補償テーブル２からの信号とを入力として歪補償テーブル２や歪検出部７からなる歪補償に関係する部分の故障検出を行う歪補償関係部分故障検出部１３と、この歪補償関係部分故障検出部１３からの出力で歪補償テーブル２や歪検出部７からなる歪補償に関係する部分の故障の判定を行う故障判定部９とを設ける。【選択図】    図１
2005167545.tif 000002
【特許請求の範囲】
【請求項１】
復調部からの信号に歪補償量を乗算または加算する演算を歪補償テーブルで行い、その出力を変調部に入力し、該変調部の出力を非線形電力増幅器で増幅し、その増幅出力の一部を負帰還して前記復調部からの信号と比較し、その比較結果により歪検出部で前記歪補償量を算出する歪補償式非線形電力増幅装置において、
前記復調部からの信号と前記歪補償テーブルからの信号とを入力として歪補償に関係する部分の故障検出を行う歪補償関係部分故障検出部と、該歪補償関係部分故障検出部からの出力で歪補償に関係する部分の故障の判定を行う故障判定部とを備えていることを特徴とする歪補償式非線形電力増幅装置。
【請求項２】
復調部からの信号に歪補償量を乗算または加算する演算を歪補償テーブルで行い、その出力を変調部に入力し、該変調部の出力を非線形電力増幅器で増幅し、その増幅出力の一部を負帰還して前記復調部からの信号と比較し、その比較結果により歪検出部で前記歪補償量を算出する歪補償式非線形電力増幅装置において、
前記歪補償テーブルからの信号と前記非線形電力増幅器からの信号とを入力として該非線形電力増幅器の故障検出を行う増幅器故障検出部と、該増幅器故障検出部からの出力で前記非線形電力増幅器の故障の判定を行う故障判定部とを備えていることを特徴とする歪補償式非線形電力増幅装置。
【請求項３】
変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１を入力として極座標変換を行って極座標信号Ｒ１，θ１を形成する第１の極座標変換部と、前記ベースバンド信号Ｉ２，Ｑ２を入力として極座標変換を行って極座標信号Ｒ２，θ２を形成する第２の極座標変換部と、前記ベースバンド信号Ｉ３，Ｑ３を入力として極座標変換を行って極座標信号Ｒ３，θ３を形成する第３の極座標変換部と、前記極座標信号Ｒ１，θ１と前記極座標信号Ｒ３，θ３を入力として前記歪補償量ΔＲ，Δθを形成する歪検出部とを備えて前記非線形電力増幅器の非線形歪を補償する歪補償式非線形電力増幅装置において、
前記極座標信号Ｒ１，θ１と前記極座標信号Ｒ２，θ２とを入力として前記歪補償テーブルと前記歪検出部の故障検出を行う歪補償関係部分故障検出部と、該歪補償関係部分故障検出部からの出力で前記歪補償テーブルと前記歪検出部の故障の判定を行う故障判定部とを備えていることを特徴とする歪補償式非線形電力増幅装置。
【請求項４】
変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１と前記ベースバンド信号Ｉ３，Ｑ３とを入力として前記歪補償量ΔＲ，Δθを形成する歪検出部とを備えて前記非線形電力増幅器の非線形歪を補償する歪補償式非線形電力増幅装置において、
前記ベースバンド信号Ｉ１，Ｑ１と前記ベースバンド信号Ｉ２，Ｑ２とを入力として前記歪補償テーブルと前記歪検出部の故障検出を行う歪補償関係部分故障検出部と、該歪補償関係部分故障検出部からの出力で前記歪補償テーブルと前記歪検出部の故障の判定を行う故障判定部とを備えていることを特徴とする歪補償式非線形電力増幅装置。
【請求項５】
変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１を入力として極座標変換を行って極座標信号Ｒ１，θ１を形成する第１の極座標変換部と、前記ベースバンド信号Ｉ２，Ｑ２を入力として極座標変換を行って極座標信号Ｒ２，θ２を形成する第２の極座標変換部と、前記ベースバンド信号Ｉ３，Ｑ３を入力として極座標変換を行って極座標信号Ｒ３，θ３を形成する第３の極座標変換部と、前記極座標信号Ｒ１，θ１と前記極座標信号Ｒ３，θ３を入力として前記歪補償量ΔＲ，Δθを形成する歪検出部とを備えて前記非線形電力増幅器の非線形歪を補償する歪補償式非線形電力増幅装置において、
前記極座標信号Ｒ２，θ２と前記極座標信号Ｒ３，θ３を入力として前記非線形電力増幅器の故障検出を行う増幅器故障検出部と、該増幅器故障検出部からの出力で前記非線形電力増幅器の故障の判定を行う故障判定部とを備えていることを特徴とする歪補償式非線形電力増幅装置。
【請求項６】
変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１と前記ベースバンド信号Ｉ３，Ｑ３とを入力として前記歪補償量ΔＲ，Δθを形成する歪検出部とを備えて前記非線形電力増幅器の非線形歪を補償する歪補償式非線形電力増幅装置において、
前記ベースバンド信号Ｉ２，Ｑ２と前記ベースバンド信号Ｉ３，Ｑ３とを入力として前記非線形電力増幅器の故障検出を行う増幅器故障検出部と、該増幅器故障検出部からの出力で前記非線形電力増幅器の故障の判定を行う故障判定部とを備えていることを特徴とする歪補償式非線形電力増幅装置。
【請求項７】
前記故障判定部は、入出力ライン上の使用機器の温度を検出する温度センサの値に応じて故障判定の基準値を変更して判定するようになっていることを特徴とする請求項１〜６のいずれか１項に記載の歪補償式非線形電力増幅装置。
【発明の詳細な説明】
【技術分野】
【０００１】
本発明は、歪補償を行う非線形電力増幅装置に関するものである。
【背景技術】
【０００２】
非線形歪がある非線形電力増幅器を用いた非線形電力増幅装置においては、非線形電力増幅器の出力信号を負帰還して入力信号との誤差が最小となる前置歪補正を行うようになっている。
【０００３】
このような歪補償式非線形電力増幅装置の故障の判定方法の１つとして、入力信号と非線形電力増幅器からの負帰還信号の電力を比較してフーリエ変換により発振の有無を判断する方法がある（例えば、特許文献１参照。）。
【０００４】
図２は、この歪補償式非線形電力増幅装置の従来例を示したものである。図において、１はＩＦ入力信号を入力として直交復調してベースバンド信号Ｉ１とＱ１を出力する第１の復調部、２はベースバンド信号Ｉ１とＱ１を入力としてこれらに歪補償量ΔＲ，Δθを乗算または加算する演算を行ってベースバンド信号Ｉ２とＱ２を形成する歪補償テーブル、３はベースバンド信号Ｉ２とＱ２を入力としてＲＦ信号よりなる変調された信号を形成する変調部、４は変調された信号を増幅する非線形電力増幅器、５は増幅された出力を分配して出力する分配器である。６は分配器５の出力を負帰還入力としてベースバンド信号Ｉ３とＱ３を形成する第２の復調部、７はベースバンド信号Ｉ１，Ｑ１  とベースバンド信号Ｉ３，Ｑ３を入力として歪補償量ΔＲ，Δθを形成する歪検出部、８はベースバンド信号Ｉ１，Ｑ１とベースバンド信号Ｉ３，Ｑ３を入力としてシステム故障を検出するフーリエ変換回路を用いたシステム故障検出部である。
【０００５】
しかしながら、このような歪補償式非線形電力増幅装置では、フーリエ変換回路を用いたシステム故障検出部８によりシステム故障を検出するので、時間がかかり、消費電力を増大させる問題点がある。
【０００６】
そこでシステム故障検出部８を、フーリエ変換回路の代わりに、微分回路やＤ／Ａコンバータで形成した歪補償式非線形電力増幅装置も提案されている。（例えば、前述した特許文献１参照。）。システム故障検出部８を微分回路で形成した歪補償式非線形電力増幅装置では、歪補償係数の変化を微分処理し、収束時間を検出して故障検出を行っている。システム故障検出部８をＤ／Ａコンバータで形成した歪補償式非線形電力増幅装置では、歪補償係数をアナログ量に変換し、時間的変化により故障検出を行っている。
【０００７】
このような歪補償式非線形電力増幅装置によれば、計算時間を短縮できて、消費電力を減らせる利点がある。
【特許文献１】特開２００３−８３６０号公報
【発明の開示】
【発明が解決しようとする課題】
【０００８】
しかしながら、従来のいずれの歪補償式非線形電力増幅装置でも、システム故障検出部８の入力が、第１の復調部１の出力と分配器５の出力を利用しているので、歪補償式非線形電力増幅装置のどこが故障しているのか分からない問題点があった。
【０００９】
本発明の目的は、故障範囲を従来より限定して検出できる歪補償式非線形電力増幅装置を提供することにある。  
【課題を解決するための手段】
【００１０】
上記の目的を達成する本発明の構成を説明すると、次の通りである。
【００１１】
本発明は、復調部からの信号に歪補償量を乗算または加算する演算を歪補償テーブルで行い、その出力を変調部に入力し、該変調部の出力を非線形電力増幅器で増幅し、その増幅出力の一部を負帰還して前記復調部からの信号と比較し、その比較結果により歪検出部で前記歪補償量を算出する歪補償式非線形電力増幅装置において、
前記復調部からの信号と前記歪補償テーブルからの信号とを入力として歪補償に関係する部分の故障検出を行う歪補償関係部分故障検出部と、該歪補償関係部分故障検出部からの出力で歪補償に関係する部分の故障の判定を行う故障判定部とを備えていることを特徴とする。
【００１２】
また本発明は、復調部からの信号に歪補償量を乗算または加算する演算を歪補償テーブルで行い、その出力を変調部に入力し、該変調部の出力を非線形電力増幅器で増幅し、その増幅出力の一部を負帰還して前記復調部からの信号と比較し、その比較結果により歪検出部で前記歪補償量を算出する歪補償式非線形電力増幅装置において、
前記歪補償テーブルからの信号と前記非線形電力増幅器からの信号とを入力として該非線形電力増幅器の故障検出を行う増幅器故障検出部と、該増幅器故障検出部からの出力で前記非線形電力増幅器の故障の判定を行う故障判定部とを備えていることを特徴とする。
【００１３】
また本発明は、変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１を入力として極座標変換を行って極座標信号Ｒ１，θ１を形成する第１の極座標変換部と、前記ベースバンド信号Ｉ２，Ｑ２を入力として極座標変換を行って極座標信号Ｒ２，θ２を形成する第２の極座標変換部と、前記ベースバンド信号Ｉ３，Ｑ３を入力として極座標変換を行って極座標信号Ｒ３，θ３を形成する第３の極座標変換部と、前記極座標信号Ｒ１，θ１と前記極座標信号Ｒ３，θ３を入力として前記歪補償量ΔＲ，Δθを形成する歪検出部とを備えて前記非線形電力増幅器の非線形歪を補償する歪補償式非線形電力増幅装置において、
前記極座標信号Ｒ１，θ１と前記極座標信号Ｒ２，θ２とを入力として前記歪補償テーブルと前記歪検出部の故障検出を行う歪補償関係部分故障検出部と、該歪補償関係部分故障検出部からの出力で前記歪補償テーブルと前記歪検出部の故障の判定を行う故障判定部とを備えていることを特徴とする。
【００１４】
また本発明は、変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１と前記ベースバンド信号Ｉ３，Ｑ３とを入力として前記歪補償量ΔＲ，Δθを形成する歪検出部とを備えて前記非線形電力増幅器の非線形歪を補償する歪補償式非線形電力増幅装置において、
前記ベースバンド信号Ｉ１，Ｑ１と前記ベースバンド信号Ｉ２，Ｑ２とを入力として前記歪補償テーブルと前記歪検出部の故障検出を行う歪補償関係部分故障検出部と、該歪補償関係部分故障検出部からの出力で前記歪補償テーブルと前記歪検出部の故障の判定を行う故障判定部とを備えていることを特徴とする。
【００１５】
また本発明は、変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１を入力として極座標変換を行って極座標信号Ｒ１，θ１を形成する第１の極座標変換部と、前記ベースバンド信号Ｉ２，Ｑ２を入力として極座標変換を行って極座標信号Ｒ２，θ２を形成する第２の極座標変換部と、前記ベースバンド信号Ｉ３，Ｑ３を入力として極座標変換を行って極座標信号Ｒ３，θ３を形成する第３の極座標変換部と、前記極座標信号Ｒ１，θ１と前記極座標信号Ｒ３，θ３を入力として前記歪補償量ΔＲ，Δθを形成する歪検出部とを備えて前記非線形電力増幅器の非線形歪を補償する歪補償式非線形電力増幅装置において、
前記極座標信号Ｒ２，θ２と前記極座標信号Ｒ３，θ３を入力として前記非線形電力増幅器の故障検出を行う増幅器故障検出部と、該増幅器故障検出部からの出力で前記非線形電力増幅器の故障の判定を行う故障判定部とを備えていることを特徴とする。
【００１６】
さらに本発明は、変調された信号を入力信号として直交復調することによりベースバンド信号Ｉ１，Ｑ１を形成する第１の復調部と、前記ベースバンド信号Ｉ１，Ｑ１を入力としてこれらに歪補償量ΔＲ，Δθを乗算または加算する演算を行ってベースバンド信号Ｉ２，Ｑ２を形成する歪補償テーブルと、前記ベースバンド信号Ｉ２，Ｑ２を入力として変調された信号を形成する変調部と、前記変調された信号を増幅する非線形電力増幅器と、該非線形電力増幅器の出力の一部を入力としてベースバンド信号Ｉ３，Ｑ３を形成する第２の復調部と、前記ベースバンド信号Ｉ１，Ｑ１と前記ベースバンド信号Ｉ３，Ｑ３とを入力として前記歪補償量ΔＲ，Δθを形成する歪検出部とを備えて前記非線形電力増幅器の非線形歪を補償する歪補償式非線形電力増幅装置において、
前記ベースバンド信号Ｉ２，Ｑ２と前記ベースバンド信号Ｉ３，Ｑ３とを入力として前記非線形電力増幅器の故障検出を行う増幅器故障検出部と、該増幅器故障検出部からの出力で前記非線形電力増幅器の故障の判定を行う故障判定部とを備えていることを特徴とする。
【発明の効果】
【００１７】
本発明の歪補償式非線形電力増幅装置によれば、従来のような全体としての故障検出でなく、歪補償に関係する部分の故障検出、或いは非線形電力増幅器の故障検出のように、故障範囲を従来より限定して検出することができる。
【００１８】
また、極座標信号を用いて故障検出を行うと、歪補償テーブルに使用するメモリの量が少なくてすむ利点がある。
【００１９】
さらに、故障判定部が、入出力ライン上の使用機器の温度を検出する温度センサの値に応じて故障判定の基準値を変更して判定するようになっていると、使用機器の温度特性に応じた故障判定をすることができる。
【発明を実施するための最良の形態】
【００２０】
図１は本発明に係る歪補償式非線形電力増幅装置を実施するための最良の形態の一例を示すブロック図である。なお、前述した図２と対応する部分には、同一符号を付けて示している。
【００２１】
１０は第１の復調部１から出力されるベースバンド信号Ｉ１とＱ１を入力として極座標変換を行って極座標信号Ｒ１とθ１を出力する第１の極座標変換部、１１は歪補償テーブル２から出力されるベースバンド信号Ｉ２とＱ２を入力として極座標変換を行って極座標信号Ｒ２とθ２を出力する第２の極座標変換部、１２は負帰還されて第２の復調部６から出力されるベースバンド信号Ｉ３，Ｑ３を入力として極座標変換を行って極座標信号Ｒ３，θ３を出力する第３の極座標変換部である。本例の歪検出部７は、極座標信号Ｒ１とθ１と極座標信号Ｒ３，θ３とを入力として歪補償量ΔＲ，Δθを形成するようになっている。また、本例のシステム故障検出部８も、極座標信号Ｒ１，θ１と極座標信号Ｒ３，θ３とを入力としてシステム故障を検出するようになっている。１３は極座標信号Ｒ１，θ１と極座標信号Ｒ２，θ２とを入力として歪補償に関係する部分である歪補償テーブル２と歪検出部７の故障を検出する歪補償関係部分故障検出部である。この歪補償関係部分故障検出部１３の検出信号は、故障判定部９に入力されて歪補償テーブル２と歪検出部７の故障の判定が行われるようになっている。１４は極座標信号Ｒ２，θ２と極座標信号Ｒ３，θ３とを入力として非線形電力増幅器４の故障を検出する増幅器故障検出部である。この増幅器故障検出部１４の検出信号は、故障判定部９に入力されて非線形電力増幅器４の故障の判定が行われるようになっている。１５は第１の復調部１から分配器５までの入出力ライン上の使用機器で、温度により特性変化のある機器、この例では例えば非線形電力増幅器４に取り付けた温度センサである。この温度センサ１５の出力は故障判定部９に入力されている。故障判定部９は、非線形電力増幅器４の温度を検出する温度センサ１５の値に応じて故障判定の基準値を変更して判定するようになっている。
【００２２】
このような歪補償式非線形電力増幅装置では、第１の復調部１はＩＦ入力信号よりなる変調された信号を入力として直交復調してベースバンド信号Ｉ１，Ｑ１を出力し、これらを歪補償テーブル２と第１の極座標変換部１０に入力する。
【００２３】
歪補償テーブル２では、ベースバンド信号Ｉ１，Ｑ１を入力としてこれらに歪補償量ΔＲ，Δθを乗算または加算する演算を行ってベースバンド信号Ｉ２，Ｑ２を形成し、これらベースバンド信号Ｉ２，Ｑ２を変調部３と第２の極座標変換部１１とに入力する。
【００２４】
ベースバンド信号Ｉ１，Ｑ１が入力された第１の極座標変換部１０は、極座標変換を行って振幅と位相の極座標信号Ｒ１とθ１を出力し、これらを歪検出部７とシステム故障検出部８と歪補償関係部分故障検出部１３とに入力する。
【００２５】
ベースバンド信号Ｉ２，Ｑ２が入力された変調部３はＲＦ信号よりなる変調された信号を形成し、これを非線形電力増幅器４に入力して増幅し、増幅したＲＦ信号即ち増幅した変調信号を分配器５で分配し、分配した一方の変調信号は出力し、他方の変調信号は負帰還信号として第２の復調部６に入力する。第２の復調部６は、変調された信号が入力されるとベースバンド信号Ｉ３，Ｑ３を出力し、これを第３の極座標変換部１２に入力する。第３の極座標変換部１２は、ベースバンド信号Ｉ３，Ｑ３が入力されると極座標変換を行って極座標信号Ｒ３とθ３を出力し、これを歪検出部７とシステム故障検出部８と増幅器故障検出部１４とに入力する。
【００２６】
ベースバンド信号Ｉ２，Ｑ２が入力された第２の極座標変換部１１は、極座標変換を行って極座標信号Ｒ２とθ２を出力し、これらを歪補償関係部分故障検出部１３と増幅器故障検出部１４に入力する。
【００２７】
歪検出部７は、極座標信号Ｒ１，θ１と極座標信号Ｒ３，θ３とを入力として歪補償量ΔＲ，Δθを形成し、これを前述したように歪補償テーブル２に入力する。
【００２８】
システム故障検出部８は、極座標信号Ｒ１，θ１と極座標信号Ｒ３，θ３とを入力としてシステム故障を検出し、その出力により故障判定部９がシステム故障検出部８の故障を判定する。
【００２９】
歪補償関係部分故障検出部１３は、極座標信号Ｒ１，θ１と極座標信号Ｒ２，θ２とを入力として歪補償テーブル２や歪検出部７の故障を検出する。
【００３０】
増幅器故障検出部１４は、極座標信号Ｒ２，θ２と極座標信号Ｒ３，θ３とを入力として非線形電力増幅器４の故障を検出する。
【００３１】
故障判定部９は、入出力ライン上の使用機器の温度を検出する温度センサの値に応じて故障判定の基準値を変更して判定するようになっているので、使用機器の温度特性に応じた故障判定をする。
【００３２】
このような歪補償式非線形電力増幅装置によれば、システム故障検出部８により全体のシステム故障を検出でき、歪補償関係部分故障検出部１３により歪補償テーブル２や歪検出部７からなる歪補償に関係する部分の故障を検出でき、増幅器故障検出部１４により非線形電力増幅器４の故障を検出できる。即ち、歪補償関係部分故障検出部１３や増幅器故障検出部１４により、故障範囲を従来より限定して故障を検出することができる。
【００３３】
本例のように極座標信号を用いて故障検出を行うと、歪補償テーブルに使用するメモリの量が少なくてすむ利点がある。
【００３４】
なお、図１に示す例では、システム故障検出部８、歪補償関係部分故障検出部１３、増幅器故障検出部１４では、極座標信号Ｒ１，θ１とＲ２，θ２とＲ３，θ３とを入力として故障の検出を行ったが、これらはベースバンド信号Ｉ１，Ｑ１とＩ２，Ｑ２とＩ３，Ｑ３とを入力として故障の検出を行うこともできる。即ち、歪検出部７は、第１の復調部１からのベースバンド信号Ｉ１，Ｑ１と第２の復調部６からのベースバンド信号Ｉ３，Ｑ３とを入力として非線形電力増幅器４の非線形歪の補償を行う歪補償量ΔＲ，Δθを算出する。システム故障検出部８は、第１の復調部１からのベースバンド信号Ｉ１，Ｑ１と第２の復調部６からのベースバンド信号Ｉ３，Ｑ３とを入力としてシステム故障を検出する。歪補償関係部分故障検出部１３は、第１の復調部１からのベースバンド信号Ｉ１，Ｑ１と歪補償テーブル２からのベースバンド信号Ｉ２，Ｑ２とを入力として歪補償テーブル２や歪検出部７からなる歪補償に関係する部分の故障を検出する。増幅器故障検出部１４は、歪補償テーブル２からのベースバンド信号Ｉ２，Ｑ２と第２の復調部６からのベースバンド信号Ｉ３，Ｑ３とを入力として非線形電力増幅器４の故障を検出する。
【００３５】
さらに、故障判定部９が、入出力ライン上の使用機器の温度を検出する温度センサ１５の値に応じて故障判定の基準値を変更して判定するようになっていると、使用機器の温度特性に応じた故障判定をすることができる。
【００３６】
この温度センサ１５を用いた故障判定部９における故障判定の基準値の変更は、図２に示す従来例にも適用することができる。
【図面の簡単な説明】
【００３７】
【図１】本発明に係る歪補償式非線形電力増幅装置を実施するための最良の形態の一例を示すブロック図である。
【図２】従来の歪補償式非線形電力増幅装置の構成を示すブロック図である。
【符号の説明】
【００３８】
１  第１の復調部
２  歪補償テーブル
３  変調部
４  非線形電力増幅器
５  分配器
６  第２の復調部
７  歪検出部
８  システム故障検出部
９  故障判定部
１０  第１の極座標変換部
１１  第２の極座標変換部
１２  第３の極座標変換部
１３  歪補償関係部分故障検出部
１４  増幅器故障検出部
１５  温度センサ
【図１】
2005167545.tif 000003
【図２】
2005167545.tif 000004